(57)【要約】  （Ａ）無水塩化マグネシウム、（Ｂ）カルボキシル基、水酸基、及び酢酸基の少なくともいずれかを有するポリマー、（Ｃ）水溶性アルミニウム塩、並びに（Ｄ）多価アルコールを含有する外用剤組成物を提供する。前記（Ｂ）成分が、ポリアクリル酸、架橋型ポリアクリル酸、ポリメタクリル酸、メタクリル酸／アクリル酸共重合体、メタクリル酸／アクリル酸ブチル共重合体、メタクリル酸／アクリル酸２−エチルヘキシル共重合体、メタクリル酸シクロヘキシル／アクリル酸共重合体、ポリビニルアルコール、カルボキシメチルセルロース、カルボキシエチルセルロース、及びこれらの塩からなる群より選択される１種以上である態様、前記（Ｃ）成分が、硫酸アルミニウムカリウムである態様が好ましい。【特許請求の範囲】
【請求項１】
（Ａ）無水塩化マグネシウム、
（Ｂ）カルボキシル基、水酸基、及び酢酸基の少なくともいずれかを有するポリマー、
（Ｃ）水溶性アルミニウム塩、並びに
（Ｄ）多価アルコールを含有することを特徴とする外用剤組成物。
【請求項２】
前記（Ｂ）成分が、ポリアクリル酸、架橋型ポリアクリル酸、ポリメタクリル酸、メタクリル酸／アクリル酸共重合体、メタクリル酸／アクリル酸ブチル共重合体、メタクリル酸／アクリル酸２−エチルヘキシル共重合体、メタクリル酸シクロヘキシル／アクリル酸共重合体、ポリビニルアルコール、カルボキシメチルセルロース、カルボキシエチルセルロース、及びこれらの塩からなる群より選択される１種以上である請求項１に記載の外用剤組成物。
【請求項３】
前記（Ｃ）成分が、硫酸アルミニウムカリウムである請求項１から２のいずれかに記載の外用剤組成物。
【請求項４】
前記（Ｄ）成分が、ポリアルキレングリコール、及びグリセリンの少なくともいずれかである請求項１から３のいずれかに記載の外用剤組成物。
【請求項５】
前記（Ｂ）成分の含有量と前記（Ｃ）成分の含有量との質量比（Ｂ／Ｃ）が、１〜１５である請求項１から４のいずれかに記載の外用剤組成物。
【請求項６】
（Ｅ）薬効成分を更に含有する請求項１から５のいずれかに記載の外用剤組成物。
【請求項７】
前記（Ｅ）成分が、サリチル酸エステル、フェルビナク、ジクロフェナクナトリウム、及びロキソプロフェンナトリウムからなる群より選択される１種以上である請求項６に記載の外用剤組成物。
【請求項８】
基材と、
前記基材上に、請求項１から７のいずれかに記載の外用剤組成物と、
包材と、を含み、
前記基材、及び前記外用剤組成物が前記包材で密封されてなることを特徴とする外用剤。
【発明の詳細な説明】
【技術分野】
【０００１】
本発明は、外用剤組成物、及び外用剤に関する。
【背景技術】
【０００２】
従来より、粘着層の貼付面と反対側に発熱層を有する温熱シートが知られている（例えば、特許文献１参照）。また、粘着層自体が発熱性を有する温熱貼付剤として、無機塩と大気中の水分との水和反応による発熱を利用した温熱貼付剤が知られている（例えば、特許文献２及び３参照）。【０００３】
しかしながら、前記温熱貼付剤では、水和反応のメカニズムにより、発熱時に吸収される水分が無機塩の水溶液となって粘着層となるゲル中に蓄積されていくため、皮膚のべたつきが生じ、粘着力が低下するという問題があった。したがって、皮膚のべたつきが抑制され、粘着力の持続性が向上した外用剤組成物の提供が望まれていた。
【先行技術文献】
【特許文献】
【０００４】
【特許文献１】特開２００６−１９２２５３号公報
【特許文献２】特開２００３−２１０５０９号公報
【特許文献３】特開２０１５−１５１３９４号公報
【発明の概要】
【発明が解決しようとする課題】
【０００５】
本発明は、従来における前記諸問題を解決し、以下の目的を達成することを課題とする。即ち、本発明は、温熱を付与でき、皮膚のべたつきが抑制され、粘着力の持続性が向上した外用剤組成物、及び外用剤を提供することを目的とする。
【課題を解決するための手段】
【０００６】
前記課題を解決するための手段としては、以下の通りである。即ち、
＜１＞  （Ａ）無水塩化マグネシウム、
（Ｂ）カルボキシル基、水酸基、及び酢酸基の少なくともいずれかを有するポリマー、
（Ｃ）水溶性アルミニウム塩、並びに
（Ｄ）多価アルコールを含有することを特徴とする外用剤組成物である。
＜２＞  前記（Ｂ）成分が、ポリアクリル酸、架橋型ポリアクリル酸、ポリメタクリル酸、メタクリル酸／アクリル酸共重合体、メタクリル酸／アクリル酸ブチル共重合体、メタクリル酸／アクリル酸２−エチルヘキシル共重合体、メタクリル酸シクロヘキシル／アクリル酸共重合体、ポリビニルアルコール、カルボキシメチルセルロース、カルボキシエチルセルロース、及びこれらの塩からなる群より選択される１種以上である前記＜１＞に記載の外用剤組成物である。
＜３＞  前記（Ｃ）成分が、硫酸アルミニウムカリウムである前記＜１＞から＜２＞のいずれかに記載の外用剤組成物である。
＜４＞  前記（Ｄ）成分が、ポリアルキレングリコール、及びグリセリンの少なくともいずれかである前記＜１＞から＜３＞のいずれかに記載の外用剤組成物である。
＜５＞  前記（Ｂ）成分の含有量と前記（Ｃ）成分の含有量との質量比（Ｂ／Ｃ）が、１〜１５である前記＜１＞から＜４＞のいずれかに記載の外用剤組成物である。
＜６＞  （Ｅ）薬効成分を更に含有する前記＜１＞から＜５＞のいずれかに記載の外用剤組成物である。
＜７＞  前記（Ｅ）成分が、サリチル酸エステル、フェルビナク、ジクロフェナクナトリウム、及びロキソプロフェンナトリウムからなる群より選択される１種以上である前記＜６＞に記載の外用剤組成物である。
＜８＞  基材と、
前記基材上に、前記＜１＞から＜７＞のいずれかに記載の外用剤組成物と、
包材と、を含み、
前記基材、及び前記外用剤組成物が前記包材で密封されてなることを特徴とする外用剤である。
【発明の効果】
【０００７】
本発明によると、従来における前記諸問題を解決し、前記目的を達成することができ、温熱を付与でき、皮膚のべたつきが抑制され、粘着力の持続性が向上した外用剤組成物、及び外用剤を提供することができる。
【発明を実施するための形態】
【０００８】
（外用剤組成物）
本発明の外用剤組成物は、（Ａ）無水塩化マグネシウム、（Ｂ）カルボキシル基、水酸基、及び酢酸基の少なくともいずれかを有するポリマー、（Ｃ）水溶性アルミニウム塩、及び（Ｄ）多価アルコールを含有し、水を実質的に含有しないことが好ましく、（Ｅ）薬効成分を更に含有することが好ましく、更に必要に応じてその他の成分を含有する。
【０００９】
＜（Ａ）無水塩化マグネシウム＞
前記（Ａ）成分の無水塩化マグネシウムは、大気中の水分や皮膚から放出される水分により潮解し、発熱する化合物であり、温熱を付与するために含有される。
【００１０】
前記（Ａ）成分の含有量としては、前記外用剤組成物全量に対して、５質量％〜２０質量％が好ましく、７質量％〜１５質量％がより好ましい。前記含有量が５質量％以上であると、温熱の付与が良好であり、２０質量％以下であると、皮膚のべたつきのなさが良好である。
【００１１】
＜（Ｂ）カルボキシル基、水酸基、及び酢酸基の少なくともいずれかを有するポリマー＞
前記（Ｂ）成分のカルボキシル基、水酸基、及び酢酸基の少なくともいずれかを有するポリマーは、金属イオンにより金属塩架橋するポリマーであり、粘着力、及びその持続性を付与するために含有される。
【００１２】
前記（Ｂ）成分のカルボキシル基、水酸基、及び酢酸基の少なくともいずれかを有するポリマーとしては、特に制限はなく、目的に応じて適宜選択することができ、例えば、ポリエチレン骨格を有するポリマー［（Ｂ１）成分］、セルロース誘導体［（Ｂ２）成分］などが挙げられる。これらは、１種単独で使用してもよいし、２種以上を併用してもよい。粘着層の保形性の点で、前記（Ｂ１）成分と、前記（Ｂ２）成分とを併用することが好ましい。
前記（Ｂ１）成分のポリエチレン骨格を有するポリマーとしては、例えば、ポリアクリル酸、架橋型ポリアクリル酸、ポリメタクリル酸、メタクリル酸／アクリル酸共重合体、メタクリル酸／アクリル酸ブチル共重合体、メタクリル酸／アクリル酸２−エチルヘキシル共重合体、メタクリル酸シクロヘキシル／アクリル酸共重合体等のカルボキシル基を有するポリマー；ポリビニルアルコール等の水酸基及び／又は酢酸基を有するポリマー；これらの塩などが挙げられる。これらの中でも、ポリアクリル酸、架橋型ポリアクリル酸、ポリビニルアルコールが好ましい。
前記（Ｂ２）成分のセルロース誘導体としては、例えば、カルボキシメチルセルロース、カルボキシエチルセルロース、カルボキシメチルエチルセルロース等のカルボキシル基を有するポリマー；これらの塩などが挙げられる。これらの中でも、カルボキシメチルセルロース、カルボキシメチルエチルセルロースが好ましい。
【００１３】
前記（Ｂ）成分のカルボキシル基、水酸基、及び酢酸基の少なくともいずれかを有するポリマーの重量平均分子量としては、特に制限はなく、目的に応じて適宜選択することができるが、粘着層の保形性の点から、１０，０００〜１０，０００，０００が好ましく、５０，０００〜５，０００，０００がより好ましい。
【００１４】
前記（Ｂ）成分の含有量としては、前記外用剤組成物全量に対して、１０質量％〜５０質量％が好ましく、１５質量％〜３５質量％がより好ましい。前記含有量が、１０質量％以上であると、粘着力、及びその持続性が良好であり、５０質量％以下であると、外用剤組成物の保形性が良好となる。
【００１５】
前記（Ｂ１）成分のポリエチレン骨格を有するポリマーの含有量としては、前記外用剤組成物全量に対して、５質量％〜３５質量％が好ましく、７質量％〜１５質量％がより好ましい。前記含有量が、５質量％以上であると、粘着力、及びその持続性が良好であり、２５質量％以下であると、外用剤組成物の保形性が良好となる。
【００１６】
前記（Ｂ２）成分のセルロース誘導体の含有量としては、前記外用剤組成物全量に対して、５質量％〜１５質量％が好ましく、８質量％〜１２質量％がより好ましい。前記含有量が、５質量％以上であると、外用剤組成物の保形性が良好となり、１５質量％以下であると、粘着力、及びその持続性が良好である。
【００１７】
＜（Ｃ）水溶性アルミニウム塩＞
前記（Ｃ）成分の水溶性アルミニウム塩は、皮膚のべたつきのなさ、及び粘着力の持続性を付与するために含有される。
前記（Ｃ）成分の水溶性アルミニウム塩は、アルミニウムイオンの供給源として含有され、前記（Ａ）成分の無水塩化マグネシウムが大気中の水分を吸収して生成した無機塩水溶液に溶解することよりアルミニウムイオンを放出し、前記（Ｂ）成分の架橋を行う。
【００１８】
前記（Ｃ）成分の水溶性アルミニウム塩としては、特に制限はなく、目的に応じて適宜選択することができ、結晶水を有していてもよく、無水物であってもよいが、製剤の特性上無水物が好ましい。
前記（Ｃ）成分の水溶性アルミニウム塩としては、例えば、塩化アルミニウム、硫酸アルミニウム、硫酸アルミニウムカリウム、クロロヒドロキシアルミニウムなどが挙げられる。これらは、１種単独で使用してもよいし、２種以上を併用してもよい。
これらの中でも、安全性、入手のし易さの点から、硫酸アルミニウムカリウムが好ましく、硫酸アルミニウムカリウムの無水物がより好ましい。
【００１９】
前記（Ｃ）成分の含有量としては、前記外用剤組成物全量に対して、１質量％〜５０質量％が好ましく、１．５質量％〜３５質量％がより好ましい。前記含有量が、１質量％以上であると、前記（Ｂ）成分の架橋が良好となり、皮膚のべたつきのなさ、及び粘着力の持続性が良好であり、５０質量％以下であると、外用剤組成物の保形性が良好となる。
【００２０】
＜質量比（Ｂ／Ｃ）＞
前記（Ｂ）成分の含有量（質量％）と、前記（Ｃ）成分の含有量（質量％）との質量比（Ｂ／Ｃ）は、１〜１５が好ましく、５〜１５がより好ましい。前記質量比が、１以上であると、外用剤組成物の保形性、皮膚のべたつきのなさ、及び粘着力の持続性が良好となり、１５以下であると、皮膚のべたつきのなさ、及び粘着力の持続性が良好となる。
【００２１】
＜（Ｄ）多価アルコール＞
前記（Ｄ）成分の多価アルコールは、温熱を付与するための発熱基剤、及び前記（Ｂ）成分の可塑剤の少なくともいずれかとして含有される。
【００２２】
前記（Ｄ）成分の多価アルコールとしては、特に制限はなく、目的に応じて適宜選択することができるが、水と接触することにより水和熱を発生するものが好ましく、同質量の水と混合することにより、２℃以上温度が上昇するものが特に好ましい。また前記多価アルコールとしては、不揮発性の多価アルコールが好ましい。揮発性の多価アルコールを用いると、気化熱によって温度が低下してしまうことがある。また、水分を含まないものが好ましい。
【００２３】
前記（Ｄ）成分の多価アルコールの分子内における水酸基数としては、特に制限はなく、目的に応じて適宜選択することができるが、２〜４が好ましい。
【００２４】
前記（Ｄ）成分の多価アルコールとしては、例えば、１，３−ブタンジオール、エチレングリコール、プロピレングリコール、ジエチレングリコール、ジプロピレングリコール、ジエチレングリコールモノアルキルエーテル等のグリコール類；ポリエチレングリコール、ポリプロピレングリコール、ポリエチレングリコール／ポリプロピレングリコール等のポリアルキレングリコール；グリセリン、ジグリセリン、トリグリセリン、ポリグリセリン等のグリセリン類；硬化ヒマシ油（３０Ｅ．Ｏ．）、ソルビトールなどが挙げられる。
これらの中でも、グリコール類、ポリアルキレングリコール、グリセリン類等の不揮発性の多価アルコールが好ましく、温熱の付与の点から、ポリアルキレングリコール、グリセリンがより好ましい。
【００２５】
前記（Ｄ）成分の含有量としては、前記外用剤組成物全量に対して、２０質量％〜８０質量％が好ましく、３０質量％〜７０質量％がより好ましい。前記含有量が、２０質量％以上であると、展延時に外用剤組成物が硬くなりすぎることなく、外用剤組成物の保形性、及び温熱の付与が良好となり、８０質量％以下であると、外用剤組成物の展延時に液ダレを生じることなく、外用剤組成物の保形性が良好となる。
【００２６】
＜質量比（Ｂ／Ｄ）＞
前記（Ｂ）成分の含有量（質量％）と、前記（Ｄ）成分の含有量（質量％）との質量比（Ｂ／Ｄ）は、０．１〜２が好ましく、０．５〜１．５がより好ましい。前記質量比が、０．１以上であると、皮膚のべたつきのなさが良好となり、２以下であると、外用剤組成物の保形性が良好となる。
【００２７】
＜水＞
本発明の外用剤組成物は、その使用時に、前記無水塩化マグネシウムが大気中の水分や皮膚から放出される水分により潮解して発熱するため、使用前の前記外用剤組成物としては、実質的に水を含有しないことが好ましく、前記外用剤組成物が密閉されて水蒸気が遮断された状態であることが好ましい。
前記水の含有量としては、前記外用剤組成物全量に対して、１質量％以下が好ましく、０．５質量％以下がより好ましい。
前記水の含有量は、例えば、赤外線水分計を用いる方法により、測定することができる。
【００２８】
従来、含水系貼付剤の粘着層として、カルボキシル基を有するポリマーと、水と、アルミニウム化合物などの架橋剤とを含み、これらを反応させて得られた含水ゲルが知られている。
これに対して、本発明の外用剤組成物は、使用前は実質的に水を含まず、使用時に前記（Ａ）成分の無水塩化マグネシウムが大気中の水分や皮膚から放出される水分により潮解して発熱すると共に、得られた無機塩水溶液に前記（Ｃ）成分の水溶性アルミニウム塩が溶解し、アルミニウムイオンを放出して、前記（Ｂ）成分のカルボキシル基、水酸基、及び酢酸基の少なくともいずれかを有するポリマーとアルミニウムイオンとの架橋反応が進行する。これにより、使用時に吸収した水分による皮膚のべたつきが抑制されると共に、前記架橋反応により含水ゲルが生じる。したがって、従来の無機塩を利用した温熱貼付剤に比べて粘着力の持続性が向上し、使用時を通じて良好な粘着力を維持することができる。
【００２９】
＜（Ｅ）薬効成分＞
本発明の外用剤組成物は、前記（Ｅ）成分の薬効成分を更に含有することが好ましい。
本発明の外用剤組成物は、粘着層となる外用剤組成物自体が発熱し、かつ直接、患部などに貼付することができるため、直接、患部に温熱を付与しつつ、薬効成分を経皮投与できる点で有利である。
【００３０】
前記（Ｅ）成分の薬効成分としては、特に制限はなく、目的に応じて適宜選択することができ、例えば、サリチル酸メチル、サリチル酸グリコール等のサリチル酸エステル；インドメタシン、ケトプロフェン、フルルビプロフェン、イブプロフェン、フェルビナク、ジクロフェナクナトリウム、ロキソプロフェンナトリウム、メフェナム酸又はその誘導体、フルフェナム酸又はその誘導体、ブフェキサマック、イブフェナック、アルクロフェナック、プレドニゾロン、ヒドロコルチゾン、ヒドロコルチゾン酢酸エステル、ヒドロコルチゾンコハク酸エステル、デキサメタゾン、ｌ−メントール、ｄｌ−カンフル、ジフェンヒドラミン塩酸塩、クロルフェニラミンマレイン酸塩、チモール、トコフェロール酢酸塩、ナプロキセン、ピロキシカム；オオバク等の生薬軟エキス；オオバク乾燥エキス等の生薬乾燥エキス；センブリ流エキス等の生薬流エキス；アルニカチンキ等の生薬チンキ；ハッカ油、ケイ皮油等の精油などが挙げられる。これらは、１種単独で使用してもよいし、２種以上を併用してもよい。
これらの中でも、サリチル酸エステル、フェルビナク、ジクロフェナクナトリウム、ロキソプロフェンナトリウムが好ましい。
【００３１】
前記（Ｅ）成分の含有量としては、本発明の効果を損なわない範囲で必要に応じて、適宜選択することができるが、有効性及び安全性の点から、前記外用剤組成物全量に対して、０．１質量％〜１０質量％が好ましく、０．５質量％〜５質量％がより好ましい。
【００３２】
＜その他の成分＞
前記外用剤組成物には、本発明の効果を損なわない範囲で必要に応じて、その他の成分を含んでいてもよい。
前記その他の成分としては、特に制限はなく、目的に応じて適宜選択することができ、例えば、油脂類、ワックス類、シリコーン類、炭化水素油、高級脂肪酸、前記（Ｄ）成分以外の高級アルコール、エステル油、界面活性剤、前記（Ｂ）成分以外の高分子化合物、酸化防止剤、色素、ｐＨ調整剤、収斂剤、防腐剤、紫外線吸収剤、保湿剤、増粘剤、抗炎症剤、アミノ酸、ビタミン剤、各種植物抽出エキスなどが挙げられる。これらは、１種単独で使用してもよく、２種以上を併用してもよい。
【００３３】
−ｐＨ−
前記外用剤組成物のｐＨとしては、特に制限はなく、目的に応じて適宜選択することができるが、３．０〜７．０が好ましく、３．５〜６．５がより好ましく、４．０〜６．０が特に好ましい。前記ｐＨが、３．０以上であると、皮膚低刺激の点で良好であり、７．０以下であると、粘着力が良好である。
【００３４】
−製造方法−
前記外用剤組成物の製造方法は、特に制限はなく、目的に応じて適宜選択することができ、例えば、以下の方法で製造することができる。
前記（Ａ）成分、前記（Ｂ）成分、前記（Ｃ）成分、前記（Ｄ）成分、必要に応じて前記（Ｅ）成分、及び前記その他の成分を２０ｒｐｍ〜７００ｒｐｍで１５分間、全体が均一な粘稠な固体となるまで冷却しながら混合し、外用剤組成物を製造することができる。
【００３５】
−剤型−
前記外用剤組成物の剤型としては、使用前に大気中などの水分との反応が起こらないよう密封されるものであれば、特に制限はなく、目的に応じて適宜選択することができ、例えば、貼付剤、パックなどの外用剤が挙げられる。これらの中でも、貼付剤が好ましい。
【００３６】
ここで、「温熱」とは、発熱性を有することを意味する。
前記外用剤組成物の発熱性の大きさとしては、特に制限はないが、例えば、２５℃において、密封した袋から開封し、相対湿度６０％の条件下に放置した際、１分間経過後の上昇温度として、０．１℃以上が好ましく、０．２℃以上がより好ましく、０．５℃以上がさらに好ましい。
前記外用剤組成物の使用時の皮膚の最大上昇温度としては、２５℃、相対湿度６０％の条件下において、対象の皮膚に使用した場合、前記外用剤組成物の使用前（貼付前）の皮膚の温度と、前記外用剤組成物の使用時（貼付時）の皮膚の最高温度との差分として、１℃以上が好ましく、２℃以上がより好ましく、４℃以上がさらに好ましい。また、発熱し過ぎると低温やけどの恐れがある点で、実温度として４２℃以下が好ましく、４１℃以下がより好ましい。
前記外用剤組成物の発熱の持続時間としては、２５℃において、密封した袋から開封し、相対湿度６０％の条件下に放置した際、２℃以上の温度上昇した状態の持続時間として、１時間以上が好ましく、２時間以上がより好ましい。
【００３７】
（外用剤）
本発明の外用剤は、基材と、外用剤組成物と、包材と、を含み、更に必要に応じて、ライナーなどのその他の部材を含み、貼付剤として好適に使用される。
前記基材、及び前記外用剤組成物が前記包材で密封されてなる。
【００３８】
＜基材＞
前記基材としては、特に制限はなく、目的に応じて適宜選択することができ、例えば、紙、編布、織布、不織布、プラスチックフィルムなどが挙げられる。
前記基材の材質としては、例えば、レーヨン、ナイロン、ポリエステル、ポリエチレン、ポリプロピレン、ポリアミド、ポリ塩化ビニル、ポリウレタン、ポリビニルアルコール、ポリアクリロニトリルなどが挙げられる。
前記基材の大きさとしては、特に制限はなく、目的に応じて適宜選択することができ、通気性、使用性、外観、その他必要に応じて任意の大きさにしてもよく、必要に応じて、所定形状の空孔を設けてもよく、網目状としてもよい。
前記基材の坪量としては、特に制限はなく、目的に応じて適宜選択することができるが、５ｇ／ｍ２〜５００ｇ／ｍ２が好ましく、２０ｇ／ｍ２〜３００ｇ／ｍ２がより好ましい。
【００３９】
＜外用剤組成物＞
前記外用剤組成物は、本発明の前記外用剤組成物であり、前記基材上に含有される。
前記外用剤組成物は、温熱付与層、かつ粘着層として機能し、前記薬効成分を含有する場合には、直接、患部に温熱を付与しつつ、薬効成分を経皮投与できる点で有利である。
前記外用剤組成物の前記基材上における膏体量としては、単位面積（１０ｃｍ×１４ｃｍ）あたりの含有量で、５ｇ〜３０ｇが好ましく、８ｇ〜２０ｇがより好ましく、１０ｇ〜１５ｇがさらに好ましい。
【００４０】
＜包材＞
前記包材としては、特に制限はなく、目的に応じて適宜選択することができるが、水蒸気を透過せず、前記外用剤の使用前に大気中などの水分との反応が起こらないよう密封可能なものが好ましく、単層であってもよく、積層体であってもよいが、アルミニウム層を少なくとも有する積層フィルムであることが好ましい。
前記積層フィルムの層構成としては、アルミニウム層を有すれば、特に制限はなく、目的に応じて適宜選択することができるが、アルミニウム層の内側に熱可塑性樹脂層を有することが好ましい。また、アルミニウム層の外側に紙などの外層を有することが好ましい。
前記熱可塑性樹脂としては、特に制限はなく、目的に応じて適宜選択することができ、例えば、ポリエチレン、ポリプロピレン等のポリオレフィン；ポリエチレンテレフタラート、ポリビニルアルコールなどが挙げられる。これらは、１種単独で使用してもよく、２種以上を併用してもよい。
【００４１】
前記包材の平均厚みとしては、５０μｍ〜３００μｍが好ましく、７０μｍ〜１５０μｍがより好ましい。前記包材の平均厚みが５０μｍ未満であると、密封性が低下し、前記外用剤の保存安定性が不十分となることがあり、３００μｍを超えると、ヒートシール効率が低下し、製造に支障をきたすことがあり、使用性が悪化することがある。
【００４２】
＜ライナー＞
前記ライナーは、前記粘着層を被覆する被覆層である。
前記ライナーとしては、特に制限はなく、目的に応じて適宜選択することができ、例えば、塩化ビニルフィルム、ポリエチレンフィルム、ポリプロピレンフィルム、ポリエステルフィルム、剥離紙（離型紙）などが挙げられる。
【００４３】
−用途−
前記外用剤組成物の用途としては、特に制限はなく、目的に応じて適宜選択することができ、例えば、身体への使用を目的としたものとして、医薬用温感タイプ貼付剤、薬効成分を含有する治療薬軟膏、治療用シート等の医療用外用剤；ニキビ治療用軟膏、美容シート、角栓取りシート、美白シート、保湿シート、ホットエステ商品、パック、保湿パック、保湿ジェル、温感タイプメイク落としシート、温感タイプマニキュアリムーバーシート、ネイルケアシート、かかと等のかさついた皮膚を滑らかにするシート、ハイヒール着用により生ずるタコ等をケアするシート、加温により目の疲れをとるシート、目のくまをケアするシート、首筋を温めるシート、毛髪用パック、毛髪用軟膏等の化粧用外用剤などが挙げられる。
【実施例】
【００４４】
以下、本発明の実施例を説明するが、本発明はこれらの実施例に何ら限定されるものではない。なお、以下の実施例及び比較例に記載の外用剤組成物の含有量は、全て純分換算値である。【００４５】
（実施例１〜６及び比較例１〜２）
下記表１及び表２に示す各組成及び含有量（質量％）の通り、実施例１〜６及び比較例１〜２の外用剤組成物を以下の製造方法に基づいて製造した。【００４６】
＜外用剤組成物、及び外用剤の製造方法＞
下記表１及び表２に示す（Ａ）成分、（Ｂ）成分、（Ｃ）成分、及び（Ｄ）成分を３００ｒｐｍ〜３６０ｒｐｍで１５分間全体が均一な粘稠な固体となるまで冷却しながら混合し、実施例１〜６及び比較例１〜２の外用剤組成物を製造した。
得られた各外用剤組成物を、基材としての不織布（商品名：ＰＡＬ９０、倉敷繊維加工社製）に１４ｇ／１４０ｃｍ２になるように均一に展延塗布した後、１０ｃｍ×１４ｃｍに裁断し、貼付剤を得た。得られた各貼付剤を、包材としての紙／アルミニウム／ポリエチレン積層シート（東海東洋アルミ販売社製）に、紙が外層となるように収容し、包材の周辺部をヒートシールして密封し、外用剤を製造した。【００４７】
得られた各外用剤を１日間保存した後、２５℃、６０％ＲＨの条件下で、２０代〜４０代の専門パネル５人（男性３人、女性２人）の前腕内側部の５ｃｍ×７ｃｍの範囲の皮膚に４時間貼付し、下記評価方法に基づき、「温熱の付与」、「皮膚のべたつきのなさ」、及び「粘着力の持続性」について判断し、下記評価基準に基づき評価した。結果を下記表１及び表２に示した。【００４８】
−温熱の付与−
−−皮膚の最大上昇温度の平均値−−
専門パネル５人について、各外用剤の貼付前、及び４時間貼付している間の皮膚の温度を、携帯用温度計（商品名：ＤＰ−３５０、理化工業社製）によりモニターし、貼付前の皮膚の温度と、４時間貼付している間の皮膚の最高温度との差（皮膚の最大上昇温度（℃））の値を算出し、得られた値から専門パネル５人の平均値を算出し、表１及び表２に示した。
−−温熱の付与−−
「温熱の付与」について、得られた皮膚の最大上昇温度の平均値に基づき、下記の５段階評価の官能試験で評価し、表１及び表２に示した。
［温熱の付与の評価基準］
◎：皮膚の最大上昇温度の平均値が４℃以上
○：皮膚の最大上昇温度の平均値が２℃以上４℃未満
△：皮膚の最大上昇温度の平均値が１℃以上２℃未満
×：皮膚の最大上昇温度の平均値が１℃未満【００４９】
−皮膚のべたつきのなさ−
専門パネル５人が、各外用剤を４時間貼付して剥がした後の「皮膚のべたつきのなさ」について、下記の５段階評価の官能試験で評価し、平均値を算出し、表１及び表２に示した。
［皮膚のべたつきのなさの評価基準］
５点：べたつきがない
４点：やや湿り気があるが、べたつきがない
３点：湿り気がある
２点：ややべたつきがある
１点：べたつきがある【００５０】
−粘着力の持続性−
専門パネル５人が、各外用剤を４時間貼付して剥がす際の「粘着力の持続性」について、下記の５段階評価の官能試験で評価し、平均値を算出し、表１及び表２に示した。
［粘着力の持続性の評価基準］
５点：貼付開始時と比べて粘着力が向上している
４点：貼付開始時と比べて粘着力は変わらない
３点：貼付開始時と比べて粘着力がやや低下しているが、十分な粘着力がある
２点：貼付開始時と比べて粘着力が低下しており、粘着力が十分にない
１点：貼付開始時と比べて粘着力が非常に低下しており、貼付後４時間経過前に剥がれた【００５１】
【表１】
2018159478.tif 000002
【００５２】
【表２】
2018159478.tif 000003
【００５３】
（製剤処方例）
下記表３に示す各組成及び含有量（質量％）の通り、（Ｅ）成分を含む処方例１〜６の外用剤組成物を実施例１における製造方法に基づいて製造した。【００５４】
【表３】
2018159478.tif 000004
【００５５】
実施例及び比較例で使用した各成分は、下記表４に示すとおりである。【００５６】
【表４】
2018159478.tif 000005
＊硫酸アルミニウムカリウム（無水）として使用
【産業上の利用可能性】
【００５７】
本発明の外用剤組成物は、温熱を付与でき、皮膚のべたつきが抑制され、粘着力の持続性が向上するため、例えば、医薬用温感タイプ貼付剤、薬効成分を含有する治療薬ジェル、治療用シート等の医療用外用剤や、化粧用外用剤などに好適に利用可能である。
【国際調査報告】
2018159478.tif 000006
2018159478.tif 000007
2018159478.tif 000008
2018159478.tif 000009